(57)【要約】【課題】補助電源駆動時の電力消費量を低減することが可能な画像形成装置および電源制御方法を提供する。【解決手段】本発明に係る画像形成装置は、主電源と、主電源からの電力を充電し、充電した電力を供給する補助電源と、主電源がオフ時に電力供給元を補助電源に切り替える制御と、主電源がオン時に電力供給元を主電源に切り替える制御とを行う電源制御部と、電力供給元が主電源、又は補助電源の何れかであるかを検知する検出部と、検出部で検知された電力供給元が補助電源である場合、データ転送速度を、第１高速モードから該第１高速モードよりも消費電力が抑えられた第１低速モードに切り替える制御を行う通信モード制御部と、検出部で検知された電力供給元が補助電源である場合、印刷速度を、第２高速モードから該第２高速モードよりも消費電力が抑えられた第２低速モードに切り替える制御を行う印刷モード制御部と、を備える。【選択図】図４
2014226884.tif 000002
【特許請求の範囲】
【請求項１】
主電源と、
前記主電源からの電力を充電し、充電した電力を供給する補助電源と、
前記主電源がオフ時に電力供給元を前記補助電源に切り替える制御と、前記主電源がオン時に電力供給元を前記主電源に切り替える制御とを行う電源制御部と、
電力供給元が前記主電源、又は前記補助電源の何れかであるかを検知する検出部と、
前記検出部で検知された電力供給元が前記補助電源である場合、データ転送速度を、第１高速モードから該第１高速モードよりも消費電力が抑えられた第１低速モードに切り替える制御を行う通信モード制御部と、
前記検出部で検知された電力供給元が前記補助電源である場合、印刷速度を、第２高速モードから該第２高速モードよりも消費電力が抑えられた第２低速モードに切り替える制御を行う印刷モード制御部と、
を備えることを特徴とする画像形成装置。
【請求項２】
操作表示部の動作を制御する表示制御部をさらに備え、
前記表示制御部は、前記検出部で検知された電力供給元が前記補助電源である場合、前記操作表示部のバックライトを消灯させることを特徴とする請求項１に記載の画像形成装置。
【請求項３】
操作表示部の動作を制御する表示制御部をさらに備え、
前記表示制御部は、前記検出部で検知された電力供給元が前記補助電源である場合、前記操作表示部に対して情報の表示を停止させることを特徴とする請求項１に記載の画像形成装置。
【請求項４】
操作表示部の動作を制御する表示制御部をさらに備え、
前記表示制御部は、前記検出部で検知された電力供給元が前記補助電源である場合、前記補助電源の電圧に応じて前記操作表示部のバックライトの輝度を変更させることを特徴とする請求項１に記載の画像形成装置。
【請求項５】
操作表示部の動作を制御する表示制御部をさらに備え、
前記表示制御部は、前記検出部で検知された電力供給元が前記補助電源である場合、前記補助電源の電圧に応じて前記操作表示部に対して情報を表示させることを特徴とする請求項１に記載の画像形成装置。
【請求項６】
操作表示部の動作を制御する表示制御部をさらに備え、
前記表示制御部は、前記検出部で検知された電力供給元が前記補助電源である場合、前記補助電源の電圧に応じて前記操作表示部に対して情報を点滅表示させることを特徴とする請求項１に記載の画像形成装置。
【請求項７】
前記データ転送速度を第１低速モードへ切り替えるか否かの設定と、前記印刷速度を第２低速モードへ切り替えるか否かの設定と、前記バックライトを消灯させるか否かの設定と、前記操作表示部に対して情報の表示を停止させるか否かの設定とを受け付ける受付部を備えることを特徴とする請求項１から３の何れか１つに記載の画像形成装置。
【請求項８】
主電源と、
前記主電源からの電力を充電し、充電した電力を供給する補助電源と、
を備える画像形成装置において実行される電源制御方法であって、
前記主電源がオフ時に電力供給元を前記補助電源に切り替える制御と、前記主電源がオン時に電力供給元を前記主電源に切り替える制御とを行う電源制御工程と、
電力供給元が前記主電源、又は前記補助電源の何れかであるかを検知する検出工程と、
前記検出工程で検知された電力供給元が前記補助電源である場合、データ転送速度を、第１高速モードから該第１高速モードよりも消費電力が抑えられた第１低速モードに切り替える制御を行う通信モード制御工程と、
前記検出工程で検知された電力供給元が前記補助電源である場合、印刷速度を、第２高速モードから該第２高速モードよりも消費電力が抑えられた第２低速モードに切り替える制御を行う印刷モード制御工程と、
を含むことを特徴とする電源制御方法。
【発明の詳細な説明】
【技術分野】
【０００１】
本発明は、画像形成装置および該画像形成装置において実行される電源制御方法に関する。
【背景技術】
【０００２】
近年、デジタルカメラなどの電子機器は、装置本体外部の商用電源からＡＣアダプタを介しての電力供給により駆動可能であるだけでなく、装置本体に着脱自在にセットされるバッテリーからの電力供給によっても駆動可能である装置が普及してきている。
【０００３】
バッテリー駆動可能な電子機器には、商用電源からの電力供給で駆動する場合とバッテリーからの電力供給で駆動する場合とで、データ転送速度を切り替え可能とするものがある。
【０００４】
特許文献１には、電力消費量を少なくするために、データ転送速度を切り替え可能とする電子機器が開示されている。特許文献１に記載の電子機器は、商用電源からの電力供給で駆動させる場合は、データ転送速度を電力消費量の大きい高速モードで行い、バッテリーからの電力供給で駆動させる場合は、データ転送速度を電力消費量の小さい低速モードで行うものである。
【発明の概要】
【発明が解決しようとする課題】
【０００５】
しかしながら、特許文献１に記載の電子機器は、バッテリーからの電力供給で駆動させる場合にデータ転送速度を低速モードで行うだけであり、電力消費量をさらに低減することができない。そのため、バッテリーの持続時間を長持ちさせることができないという問題がある。
【０００６】
本発明は、上記に鑑みてなされたものであって、補助電源駆動時の電力消費量を低減することが可能な画像形成装置および電源制御方法を提供することを目的とする。
【課題を解決するための手段】
【０００７】
上述した課題を解決し、目的を達成するために、本発明に係る画像形成装置は、主電源と、前記主電源からの電力を充電し、充電した電力を供給する補助電源と、前記主電源がオフ時に電力供給元を前記補助電源に切り替える制御と、前記主電源がオン時に電力供給元を前記主電源に切り替える制御とを行う電源制御部と、電力供給元が前記主電源、又は前記補助電源の何れかであるかを検知する検出部と、前記検出部で検知された電力供給元が前記補助電源である場合、データ転送速度を、第１高速モードから該第１高速モードよりも消費電力が抑えられた第１低速モードに切り替える制御を行う通信モード制御部と、前記検出部で検知された電力供給元が前記補助電源である場合、印刷速度を、第２高速モードから該第２高速モードよりも消費電力が抑えられた第２低速モードに切り替える制御を行う印刷モード制御部と、を備えることを特徴とする。
【発明の効果】
【０００８】
本発明によれば、補助電源駆動時の電力消費量を低減することができる、という有利な効果を奏する。
【図面の簡単な説明】
【０００９】
【図１】図１は、第１の実施形態に係る画像形成装置の外観の一例を示す斜視図である。
【図２】図２は、第１の実施形態に係る画像形成装置の機構部の全体構成を示す側面図である。
【図３】図３は、第１の実施形態に係る画像形成装置の機構部の構成を示す平面図である。
【図４】図４は、第１の実施形態に係る画像形成装置の全体構成例を説明するブロック図である。
【図５】図５は、第１の実施形態に係る画像形成装置の電源部の構成例を説明するブロック図である。
【図６】図６は、第１の実施形態に係る画像形成装置の電源制御部である電源制御回路の構成例を説明するブロック図である。
【図７−１】図７−１は、第１の実施形態に係る電源制御回路における電源のタイミングチャートを説明する図である。
【図７−２】図７−２は、第１の実施形態に係る電源制御回路における電源のタイミングチャートを説明する図である。
【図７−３】図７−３は、第１の実施形態に係る電源制御回路における電源のタイミングチャートを説明する図である。
【図７−４】図７−４は、第１の実施形態に係る電源制御回路における電源のタイミングチャートを説明する図である。
【図８】図８は、第１の実施形態に係る画像形成装置の通信モード制御部の制御動作の処理手順の一例を示すフローチャートである。
【図９】図９は、第１の実施形態に係る画像形成装置の印刷モード制御部の制御動作の処理手順の一例を示すフローチャートである。
【図１０】図１０は、第２の実施形態に係る画像形成装置の全体構成例を説明するブロック図である。
【図１１】図１１は、第２の実施形態に係る画像形成装置の表示制御部の制御動作の処理手順の一例を示すフローチャートである。
【図１２】図１２は、第２の実施形態に係る画像形成装置において実行される表示制御部の制御動作例について説明する図である。
【図１３】図１３は、第２の実施形態の変形例に係る画像形成装置の表示制御部の制御動作の処理手順の一例を示すフローチャートである。
【図１４】図１４は、第２の実施形態の変形例に係る画像形成装置において実行される表示制御部の制御動作例について説明する図である。
【図１５−１】図１５−１は、第１及び第２の実施形態の変形例に係る画像形成装置において実行される受付部の操作表示部に対する表示の一例を示す図である。
【図１５−２】図１５−２は、第１及び第２の実施形態の変形例に係る画像形成装置において実行される受付部の操作表示部に対する表示の一例を示す図である。
【図１５−３】図１５−３は、第１及び第２の実施形態の変形例に係る画像形成装置において実行される受付部の操作表示部に対する表示の一例を示す図である。
【図１５−４】図１５−４は、第１及び第２の実施形態の変形例に係る画像形成装置において実行される受付部の操作表示部に対する表示の一例を示す図である。
【発明を実施するための形態】
【００１０】
以下、添付図面を参照しながら、本発明に係る画像形成装置および電源制御方法の実施の形態を詳細に説明する。なお、以下の各実施形態では、画像形成装置の一例として、インクジェット記録装置を例に挙げて説明するが、これに限定されるものではなく、画像形成装置であればいずれにも適用することができる。さらに、本発明は、インクジェット記録装置に限らず、記録媒体上にインク滴を吐出させて画像形成する画像形成装置に対して広く適用可能である。
【００１１】
本実施形態に係る画像形成装置であるインクジェット記録装置は、ＫＣＭＹの４色のインクを吐出する記録ヘッドを有し、これらの記録ヘッドを記録用紙の搬送方向と直交する方向に往復動作させて画像記録を行う。
【００１２】
（第１の実施形態）
図１は、本実施形態に係る画像形成装置の外観の一例を示す斜視図である。
【００１３】
図１に示すように、画像形成装置１００は、装置本体に、給紙トレイ１と、排紙トレイ２と、主電源３と、補助電源４と、補助電源装填部５と、操作表示部６とを主な構成として含む。
【００１４】
給紙トレイ１は、画像形成装置１００に装着した記録媒体である用紙を装填するために備えられている。画像が記録（形成）された用紙は、排紙トレイ２にてストックされる。
【００１５】
主電源３は、商用電源（ＡＣ電源）からの電力を画像形成装置１００に供給する。主電源３は、商用電源から供給される交流電圧を直流電圧に変換して画像形成装置１００に供給する。
【００１６】
補助電源（以下、「バッテリー」ともいう。）４は、装置本体の前面の一端部側に備えられた補助電源装填部５のカバーを開閉することで、ユーザーが着脱可能な構成である。補助電源４は、商用電源からの電力供給が無い場合に画像形成装置１００に電力を供給する。画像形成装置１００は、補助電源４を有することにより、使用環境に商用電源が無い場合や停電時などでは、補助電源４で駆動することで画像形成が可能となる。また、補助電源４は、画像形成だけでなく携帯電話などの情報機器端末の充電にも使用可能な構成である。
【００１７】
操作表示部６は、装置本体の前面の上面側に備えられ、操作キーや表示画面などが配置されている。表示画面にはタッチパネルが備えられ、操作キーやタッチパネルから各種の入力を行うことができる。
【００１８】
次に、画像形成装置１００の機構部の構成について説明する。図２は、本実施形態に係る画像形成装置の機構部の全体構成を示す側面図である。図３は、画像形成装置の機構部の構成を示す平面図である。
【００１９】
図２、３に示すように、画像形成装置１００は、ガイドロッド７と、ガイドレール８と、キャリッジ９と、主走査モータ１０と、タイミングベルト１１と、駆動プーリ１２Ａと、従動プーリ１２Ｂとを備える。キャリッジ９は、左右の側板（図示せず）に横架したガイド部材であるガイドロッド７とガイドレール８とで主走査方向に摺動自在に保持される。キャリッジ９は、主走査モータ１０で駆動プーリ１２Ａと従動プーリ１２Ｂとの間に張架したタイミングベルト１１を介して図３に示す矢印Ａ１及び矢印Ａ２の方向（主走査方向）に移動走査する。
【００２０】
キャリッジ９は、例えば、それぞれブラック（Ｋ）、シアン（Ｃ）、マゼンタ（Ｍ）、イエロー（Ｙ）のインク滴を吐出する液体吐出ヘッドを有する４個の記録ヘッド１３ｋ、１３ｃ、１３ｍ、１３ｙ（以下、色を区別しない場合は「記録ヘッド１３」という。）を備える。記録ヘッド１３は、複数のインク吐出口を主走査方向と交叉する方向に配列し、インク滴吐出方向を下方に向けて装着している。
【００２１】
記録ヘッド１３を構成する液体吐出ヘッドは、液滴を吐出するための圧力を発生する圧力発生手段を備えたものが使用できる。圧力発生手段は、例えば、圧電素子などの圧電アクチュエータ、発熱抵抗体などのサーマルアクチュエータ、温度変化による金属相変化を用いる形状記憶合金アクチュエータ、静電力を用いる静電アクチュエータなどである。
【００２２】
また、記録ヘッド１３は、色毎に独立したヘッド構成に限るものではなく、複数の色の液滴を吐出する複数のノズルで構成されるノズル列を有する１又は複数の液体吐出ヘッドを有する構成でもよい。また、キャリッジ９には、記録ヘッド１３に各色のインクを供給するための各色のサブタンク１４を搭載している。このサブタンク１４には、インク供給チューブ１５を介して図示しないメインタンク（インクカートリッジ）からインクが補充供給される。
【００２３】
一方、画像形成装置１００は、給紙トレイ（給紙カセット）１などの用紙積載部（圧板）１６上に積載した用紙１７を給紙するための給紙部として、半月コロ（給紙ローラ）１８及び分離パッド１９を備える。給紙ローラ１８は、用紙積載部１６から用紙１７を１枚ずつ分離給送する。分離パッド１９は、給紙ローラ１８に対向する位置に設けられ、給紙ローラ１８側に付勢されている。分離パッド１９は、摩擦係数の大きな材質により形成される。
【００２４】
そして、画像形成装置１００は、給紙部から給紙された用紙１７を記録ヘッド１３の下方側で搬送するための搬送部として、搬送ベルト２１と、カウンタローラ２２と、搬送ガイド２３と、押さえ部材２４と、押さえコロ２５と、帯電ローラ２６とを備える。搬送ベルト２１は、用紙１７を静電吸着して搬送する。カウンタローラ２２は、給紙部からガイド２０を介して送られる用紙１７を搬送ベルト２１との間で挟んで搬送する。搬送ガイド２３は、略鉛直上方に送られる用紙１７を略９０°方向転換させて搬送ベルト２１上に倣わせる。押さえ部材２４は、押さえコロ２５を搬送ベルト２１側に付勢し、押さえコロ２５で用紙１７を押さえる。帯電ローラ２６は、搬送ベルト２１表面を帯電させる。
【００２５】
ここで、搬送ベルト２１は、無端状ベルトであり、搬送ローラ２７とテンションローラ２８との間に掛け渡される。搬送ベルト２１は、副走査モータ３１からタイミングベルト３２及びタイミングローラ３３を介して搬送ローラ２７が回転されることで、図３のベルト搬送方向（副走査方向）に搬送ベルト２１が周回するように構成している。なお、搬送ベルト２１の裏面側には記録ヘッド１３による画像形成領域に対応してガイド部材２９を配置している。
【００２６】
このガイド部材２９は、上面が搬送ベルト２１を支持する２つのローラ（搬送ローラ２７とテンションローラ２８）の接線よりも記録ヘッド１３側に突出している。これにより、搬送ベルト２１は、画像形成領域ではガイド部材２９の上面にて押し上げられてガイドされるので、高精度な平面性を維持される。
【００２７】
さらに、このガイド部材２９の搬送ベルト２１の裏面と接触する面側には、主走査方向、すなわち搬送方向と直交する方向に複数の溝を形成している。この複数の溝によって、搬送ベルト２１との接触面積を少なくし、搬送ベルト２１がスムーズにガイド部材２９表面に沿って移動できるようにしている。
【００２８】
また、帯電ローラ２６は、搬送ベルト２１の表層に接触し、搬送ベルト２１の回動に従動して回転するように配置されている。なお、搬送ベルト２１には、加圧力として軸の両端に各２．５Ｎをかけている。
【００２９】
また、図３に示すように、ロータリエンコーダ３６は、スリット円板３４及びセンサ３５を備える。スリット円板３４は、搬送ローラ２７の軸に取り付けられ、このスリット円板３４のスリットを検知するセンサ３５を設けている。
【００３０】
さらに、画像形成装置１００は、記録ヘッド１３で記録された用紙１７を排紙するための排紙部として、分離爪５１と、排紙ローラ５２と、排紙コロ５３と、排紙トレイ２とを備える。分離爪５１は、搬送ベルト２１から用紙１７を分離する。排紙ローラ５２及び排紙コロ５３は、用紙１７を間に挟んで排紙する。排紙トレイ２は、排紙ローラ５２の下方に排紙される用紙１７をストックする。ここで、排紙ローラ５２と排紙コロ５３との間から排紙トレイ２までの高さは排紙トレイ２にストックできる量を多くするためにある程度高くしている。
【００３１】
また、画像形成装置１００は、背部に両面給紙ユニット５４が着脱自在に装着されている。両面給紙ユニット５４は、搬送ベルト２１の逆方向回転で戻される用紙１７を取り込んで反転させて、再度カウンタローラ２２と搬送ベルト２１との間に給紙する。また、両面給紙ユニット５４の上面には手差し給紙部（図２では図示せず）を設けている。
【００３２】
さらに、図３に示すように、キャリッジ９の走査方向の一方側の非印字領域には、記録ヘッド１３のノズルの状態を維持し、回復するためのメンテナンス手段として維持回復機構５５を配置している。
【００３３】
維持回復機構５５は、各キャップ５６と、ワイパーブレード５７と、空吐出受け５８とを備える。各キャップ５６は、記録ヘッド１３の各ノズル面をキャッピングする。ワイパーブレード５７は、ノズル面をワイピングするためのブレード部材である。空吐出受け５８は、増粘した記録液を排出するために記録に寄与しない液滴を吐出させる空吐出を行うときの液滴を受ける。
【００３４】
このように構成した画像形成装置１００においては、用紙１７は、給紙トレイ１から１枚ずつ分離給紙され、略鉛直上方に給紙された用紙１７はガイド２０で案内される。次に、用紙１７は、搬送ベルト２１とカウンタローラ２２との間に挟まれて搬送される。更に、用紙１７は、先端を搬送ガイド２３で案内されて押さえコロ２５で搬送ベルト２１に押し付けられ、略９０°搬送方向を転換される。
【００３５】
このとき、エンジン制御部３２４（図３では図示せず）は、ＡＣバイアス供給部から帯電ローラ２６に対して正負が交互に繰り返す交番電圧を印加して、搬送ベルト２１を交番する帯電電圧パターンで帯電させる。すなわち、周回方向である副走査方向に、プラスとマイナスが交互に所定の幅で繰り返されるパターンで帯電させる。用紙１７は、この帯電した搬送ベルト２１上に給送されると、搬送ベルト２１に静電力で吸着され、搬送ベルト２１の周回移動によって用紙１７が副走査方向に搬送される。
【００３６】
そこで、画像形成装置１００は、キャリッジ９を往路及び復路方向に移動させながら画像信号に応じて記録ヘッド１３を駆動することにより、停止している用紙１７にインク滴を吐出して１行分を記録し、用紙１７を所定量搬送後、次の行の記録を行う。画像形成装置１００は、記録終了信号又は用紙１７の後端が記録領域に到達した信号を受けることにより、記録動作を終了して、用紙１７を排紙トレイ２に排紙する。
【００３７】
また、画像形成装置１００は、両面印刷の場合には、表面（最初に印刷する面）の記録が終了したときに、搬送ベルト２１を逆回転させることで、記録済みの用紙１７を両面給紙ユニット５４内に送り込み、用紙１７を反転させる。次に、画像形成装置１００は、用紙１７の裏面が印刷面となる状態にして再度カウンタローラ２２と搬送ベルト２１との間に給紙し、タイミング制御を行って、表面の記録と同様に搬送ベルト２１上に搬送して裏面に記録を行った後、排紙トレイ２に排紙する。
【００３８】
また、画像形成装置１００のエンジン制御部３２４は、印字（記録）待機中にはキャリッジ９を維持回復機構５５側に移動して、キャップ５６で記録ヘッド１３のノズル面をキャッピングして、ノズルを湿潤状態に保つことによりインク乾燥による吐出不良を防止する。また、エンジン制御部３２４は、メンテナンス動作として、例えば、キャップ５６で記録ヘッド１３をキャッピングした状態でノズルから記録液を吸引し、増粘した記録液や気泡を排出する回復動作を行う。エンジン制御部３２４は、この回復動作によって記録ヘッド１３のノズル面に付着したインクを清掃除去するためにワイパーブレード５７でワイピングを行う。また、エンジン制御部３２４は、記録開始前、記録途中などに記録と関係しないインクを吐出する空吐出動作を行う。これによって、エンジン制御部３２４は、記録ヘッド１３の安定した吐出性能を維持する。
【００３９】
次に、画像形成装置の全体構成例について説明する。図４は、本実施形態に係る画像形成装置の全体構成例を説明するブロック図である。図５は、電源部の構成例を説明するブロック図である。図６は、電源制御部である電源制御回路の構成例を説明するブロック図である。
【００４０】
図４に示すように、画像形成装置１００は、電源部２００と、メインコントローラ３００と、操作表示部６と、画像形成部３１０とを備える。
【００４１】
図５に示すように、電源部２００は、主電源３と、補助電源４と、充放電コントローラ２０１と、電源制御部２０２と、ＤＣ／ＤＣコンバータ２０３、２０４とを含む。また、主電源３は、電源制御部２０２を含んでいる。主電源３は、商用電源（ＡＣ電源）からの電力を供給する。主電源３は、商用電源が供給されるコンセントに差し込み可能なプラグ２０５を有する。そして、プラグ２０５がコンセントに差し込まれることによって、主電源３と商用電源とが接続され、主電源３は商用電源からの電力供給を受ける。主電源３は、商用電源から供給される電力を電源制御部２０２に供給する。そして交流電圧を直流電圧に変換した後、ＤＣ／ＤＣコンバータ２０３、２０４を介してメインコントローラ３００や画像形成部３１０で使用可能な直流電圧に変換する。本実施形態においては、ＤＣ５ＶとＤＣ３７Ｖとが少なくともメインコントローラ３００に供給される。
【００４２】
補助電源４は、例えば、充放電可能な電池である。主電源３から供給された電力は、充放電コントローラ２０１を介して補助電源４に供給され、補助電源４が充電される。また、補助電源４は、商用電源からの電力供給が無い場合、充放電コントローラ２０１を介して電力を電源制御部２０２に供給する。そして、ＤＣ／ＤＣコンバータ２０３、２０４を介してメインコントローラ３００や画像形成部３１０で使用可能な直流電圧に変換する。本実施形態においては、ＤＣ５ＶとＤＣ３７Ｖとが少なくともメインコントローラ３００に供給される。
【００４３】
充放電コントローラ２０１は、メインコントローラ３００の制御の下、補助電源４の充放電を制御する。また、充放電コントローラ２０１は、補助電源４の充電量（残容量）を検出する。例えば、充放電コントローラ２０１は、補助電源４における電流積算値と、補助電源４の温度や充電回数から求められる容量の劣化率とに基づいて、補助電源４の充電量を検出することができる。なお、これに限らず、補助電源４の充電量を検出する方法は任意である。
【００４４】
また、充放電コントローラ２０１は、メインコントローラ３００の制御の下、補助電源４に対する主電源３からの電力の供給および停止を切り替える。メインコントローラ３００は、主電源３からの電力で補助電源４を充電する場合、主電源３からの電力が充放電コントローラ２０１を介して補助電源４に供給されるように、充放電コントローラ２０１を制御する。
【００４５】
電源制御部２０２は、検出部２０６を含む。電源制御部２０２は、メインコントローラ３００の制御の下、少なくともメインコントローラ３００に対する電力供給元を切り替える。例えば、電源制御部２０２は、電力供給元を、主電源３に切り替えることもできるし、補助電源４に切り替えることもできる。本実施形態において電源制御部２０２は、商用電源から電力供給されている場合には電力供給元を主電源３に切り替え、商用電源から電力供給されていない場合には電力供給元を補助電源４に切り替える制御を行う。すなわち、電源制御部２０２は、主電源３がオフ時に電力供給元を補助電源４に切り替える制御と、主電源３がオン時に電力供給元を主電源３に切り替える制御とを行う。
【００４６】
また、電源制御部２０２は、メインコントローラ３００の制御の下、電力供給先を切り替えることもできる。例えば、電源制御部２０２は、電力供給先を、メインコントローラ３００および画像形成部３１０の両方に切り替えることもできるし、メインコントローラ３００のみに切り替えることもできる。
【００４７】
次に、主電源３の電源制御部２０２の電源切り替え制御について説明する。図６に示すように、電源制御部２０２の電源制御回路では、プラグ２０５が商用電源に接続されたプラグイン（＋Ｖ＿ＡＣ）の状態になった場合、検出部２０６において、ＡＣＩＮが検知され、ＡＣＯＫがＬｏｗレベルとなり、ＢＴＯＮがＨｉレベルとなる。この時、電源制御回路では、ＦＥＴ１がオン（ＯＮ）となるため＋Ｖ＿ＢＡＴ＿ＡＣには＋Ｖ＿ＡＣの電力が供給される。これにより、充放電コントローラ２０１は、補助電源４に電力を供給して充電することができる。そして、電源制御部２０２は、＋Ｖ＿ＣＨから少なくともメインコントローラ３００に電力を供給する。
【００４８】
また、電源制御回路では、補助電源４が接続された状態で、プラグ２０５が商用電源に未接続となった場合、ＦＥＴ２がオン（ＯＮ）となるため＋Ｖ＿ＢＡＴ１から電力が供給される。この場合、検出部２０６において、ＢＴＯＮがＬｏｗレベルとなる。そして、補助電源４からの電力が＋Ｖ＿ＣＨから少なくともメインコントローラ３００に供給される。このように、電源制御部２０２は、電力供給元を主電源３又は補助電源４に切り替える制御を行う。
【００４９】
次に、電源制御回路における電源のタイミングチャートについて説明する。図７−１〜図７−４は、本実施形態に係る電源制御回路における電源のタイミングチャートを説明する図である。
【００５０】
図７−１は、バッテリーからのみ電力を供給する場合の電源のタイミングチャートである。図７−１に示すように、電源制御回路では、バッテリー４を装着（バッテリーイン）すると＋Ｖ＿ＢＡＴ１は、ＬｏｗレベルからＨｉレベルに遷移し、ＢＴＯＮは、Ｌｏｗレベルを維持する。この時、検出部２０６は、ＢＴＯＮがＬｏｗレベルであると検知する。また、ＨＶＣＯＮＴは、ＨｉレベルからＬｏｗレベルに遷移し、＋３７Ｖは、ＬｏｗレベルからＨｉレベルに遷移することで電源オン（ＯＮ）となる。なお、ＨＶＣＯＮＴは、３７ＶのＤＣ／ＤＣコンバータ２０４のイネーブル信号であり、メインコントローラ３００から受信する信号である。
【００５１】
図７−２は、主電源（商用電源）からのみ電力を供給する場合の電源のタイミングチャートである。図７−２に示すように、電源制御回路では、プラグ２０５を商用電源に接続（プラグイン）すると＋Ｖ＿ＡＣは、ＬｏｗレベルからＨｉレベルに遷移し、ＡＣＩＮは、ＬｏｗレベルからＨｉレベルに遷移し、ＡＣＯＫは、ＨｉレベルからＬｏｗレベルに遷移する。この時、検出部２０６は、ＡＣＩＮがＨｉレベル、ＡＣＯＫがＬｏｗレベル、ＢＴＯＮがＨｉレベル（図示せず）であると検知する。また、ＨＶＣＯＮＴは、ＨｉレベルからＬｏｗレベルに遷移し、＋３７Ｖは、ＬｏｗレベルからＨｉレベルに遷移することで電源オン（ＯＮ）となる。
【００５２】
図７−３は、バッテリーから主電源（商用電源）に電力供給を切り替えた場合の電源のタイミングチャートである。図７−３に示すように、電源制御回路では、バッテリー４から電力供給している場合、＋Ｖ＿ＢＡＴ１は、Ｈｉレベルであり、ＢＴＯＮは、Ｌｏｗレベルを維持している。次に、バッテリー４から主電源３に電力供給を切り替えた場合、ＢＴＯＮは、ＬｏｗレベルからＨｉレベルに遷移し、＋Ｖ＿ＡＣは、ＬｏｗレベルからＨｉレベルに遷移し、ＡＣＩＮは、ＬｏｗレベルからＨｉレベルに遷移し、ＡＣＯＫは、ＨｉレベルからＬｏｗレベルに遷移する。この時、検出部２０６は、ＢＴＯＮがＨｉレベル、ＡＣＩＮがＨｉレベル、ＡＣＯＫがＬｏｗレベルであると検知する。
【００５３】
図７−４は、主電源（商用電源）からバッテリーに電力供給を切り替えた場合の電源のタイミングチャートである。図７−４に示すように、電源制御回路では、主電源３から電力供給している場合、＋Ｖ＿ＡＣは、Ｈｉレベルを維持し、ＢＴＯＮは、Ｈｉレベルを維持する。次に、主電源３からバッテリー４に電力供給を切り替えた場合、＋Ｖ＿ＡＣは、ＨｉレベルからＬｏｗレベルに遷移し、ＢＴＯＮは、ＨｉレベルからＬｏｗレベルに遷移する。この時、検出部２０６は、ＢＴＯＮがＬｏｗレベルであると検知する。
【００５４】
このように、主電源３の電源制御回路において、検出部２０６が検知したＢＴＯＮがＬｏｗレベルであれば電力供給元はバッテリー４であり、ＢＴＯＮがＨｉレベルであれば電力供給元は主電源３であると判定できる。また、検出部２０６が検知したＡＣＯＫがＬｏｗレベルであれば電力供給元は主電源３であり、ＡＣＯＫがＨｉレベルであれば電力供給元はバッテリー４であると判定できる。従って、検出部２０６は、ＢＴＯＮ、又はＡＣＯＫがＨｉレベルまたはＬｏｗレベルの何れかであるかを検知することにより、電力供給元が主電源３（商用電源）であるのか、バッテリー４であるのかを判定することができる。
【００５５】
次に、メインコントローラ３００について説明する。図４に示すように、メインコントローラ３００は、画像形成装置１００全体の動作を統括的に制御する。メインコントローラ３００は、タイマー３０１と、記憶部３０２と、通信Ｉ／Ｆ３０３と、制御部３０４Ａとを含む。
【００５６】
タイマー３０１は、時刻を計測する。タイマー３０１は、例えば、現在時刻をカウントするリアルタイムクロック機能を有する構成であってもよい。記憶部３０２は、各種のデータを記憶する。
【００５７】
通信Ｉ／Ｆ（以下、インターフェースともいう）３０３は、例えば、通信Ｉ／Ｆ４０１を備えた外部装置（以下、ホストＰＣともいう。）４００との間で、データ転送を行う。通信Ｉ／Ｆ３０３は、例えば、外部装置４００側からの画像データ等をケーブルまたはネットを介して受信して受付部３２１にデータ等を受け渡す。通信Ｉ／Ｆ３０３としては、例えば、ＩＥＥＥ１３９４規格の通信インターフェースや、ＵＳＢ（Ｕｎｉｖｅｒｓａｌ  Ｓｅｒｉａｌ  Ｂｕｓ）規格のインターフェース等が使用できる。これらの通信インターフェースは、通信モード制御部３２２の制御の下、転送速度を切り替えることができる。例えば、ＵＳＢ規格のＶｅｒｓｉｏｎ２．０では、４８０ＭｂｐｓのＨｉｇｈ−Ｓｐｅｅｄモード（高速モード）や、１２ＭｂｐｓのＦｕｌｌ−Ｓｐｅｅｄモード（低速モード）などの複数のデータ転送速度をサポートしている。
【００５８】
制御部３０４Ａは、画像形成装置１００の各部を制御する。制御部３０４Ａは、例えば、マイクロプロセッサなどから構成されるＣＰＵ（Central  Processing  Unit）、ＲＯＭ（Read  Only  Memory）、ＲＡＭ(Random  Access  Memory)などを含んで構成される。図４に示すように、制御部３０４Ａが有する機能は、受付部３２１と、通信モード制御部３２２と、印刷モード制御部３２３と、エンジン制御部３２４とを含む。制御部３０４Ａが有する機能は、制御部３０４ＡのＣＰＵがＲＯＭ等に格納された所定の制御プログラムを実行することにより実現される。なお、これに限らず、これらの機能の少なくとも一部を個別の回路（ハードウェア）で実現することもできる。
【００５９】
受付部３２１は、操作表示部６や外部装置４００などからの各種入力を受け付け、各種設定を制御部３０４Ａに受け渡す。各種入力には、例えば、印刷ジョブや画像形成装置１００の各種動作状態の設定などの各種設定入力が含まれる。なお、印刷ジョブは、当該印刷ジョブに含まれる印刷データの印刷を要求する命令信号であり、印刷ジョブに含まれる印刷データの数（印刷枚数）は任意に設定され得る。印刷データは、例えばＰＤＬ（Page  Description  Language）などの言語で記述される。印刷ジョブは、画像形成部３１０による画像形成を要求する画像形成要求と捉えることもできる。
【００６０】
通信モード制御部３２２は、画像形成装置１００と外部装置４００との間で行うデータ転送速度を制御する。通信モード制御部３２２の詳細については後述する。
【００６１】
印刷モード制御部３２３は、画像形成装置１００の画像形成部３１０での印刷速度を制御する。印刷モード制御部３２３の詳細については後述する。
【００６２】
エンジン制御部３２４は、画像形成部３１０の動作を制御する。具体的には、エンジン制御部３２４は、受付部３２１で印刷ジョブを受け付けた場合、その受け付けた印刷ジョブに含まれる印刷データの画像処理を実行する。例えば、エンジン制御部３２４は、ＰＤＬなどの言語で記述された印刷データを、画像形成部３１０が印刷可能な形式（例えばビットマップ形式）で描画された画像データに変換する。そして、エンジン制御部３２４は、その変換した画像データに基づいて、画像を記録紙などの媒体上に形成する（印刷を実行する）ように、画像形成部３１０を制御する。すなわち、画像形成部３１０は、エンジン制御部３２４の制御の下、印刷ジョブに含まれる印刷データに基づく印刷を実行する。
【００６３】
操作表示部６は、表示画面と操作キーとを備える。表示画面は、タッチパネルを備える。表示画面は、各種画面の表示や画像形成装置１００に関する情報を表示するとともに、タッチパネルからユーザーが各種設定の入力操作を行うことができる。操作キーは、ユーザーからの各種の入力を受け付ける操作デバイスである。
【００６４】
画像形成部３１０は、記録ヘッド１３を含む。画像形成部３１０は、メインコントローラ３００の制御の下、記録紙などの媒体上に画像を形成する。例えば、画像形成部３１０には、それぞれ液状記録剤として黒（Ｋ）、シアン（Ｃ）、マゼンタ（Ｍ）、イエロー（Ｙ）の４色のインク滴を吐出する液体吐出ヘッドを有する４個の記録ヘッド１３が少なくとも搭載されている。画像形成部３１０は、この記録ヘッド１３から記録媒体上に液滴を吐出させて画像形成を行う。本実施形態における画像形成装置１００の機構部の全体構成及び画像形成部３１０の機構部の構成については、図２、３を用いて前述したとおりであり、ここでは、その詳細な説明を省略する。
【００６５】
次に、通信モード制御部３２２について説明する。なお、以下の各実施形態では、通信Ｉ／Ｆ３０３の一例として、ＵＳＢ規格のインターフェースを例に挙げて説明するが、これに限定されることはなく、データ転送速度を切り替え可能な通信Ｉ／Ｆであればいずれにも適用することができる。
【００６６】
図４に示すように、通信モード制御部３２２は、画像形成装置１００の通信Ｉ／Ｆ３０３と外部装置４００の通信Ｉ／Ｆ４０１とを介して行うデータ転送速度を制御する。通信Ｉ／Ｆ３０３及び通信Ｉ／Ｆ４０１は、例えば、ＵＳＢ規格の通信インターフェースであり、例えば、ＵＳＢ規格のＶｅｒｓｉｏｎ２．０のＵＳＢコネクタである。通信Ｉ／Ｆ３０３と通信Ｉ／Ｆ４０１とは、ＵＳＢケーブル（図示せず）が接続される通信コネクタである。
【００６７】
画像形成装置１００は、このＵＳＢケーブルを介して、ホストＰＣ４００との間で、データ転送を行うことができる。例えば、ＵＳＢ規格ｖｅｒｓｉｏｎ２．０では、４８０Ｍｂｐｓの第１高速モードと１２Ｍｂｐｓの第１低速モードの複数のデータ転送速度をサポートしている。通信モード制御部３２２は、画像形成装置１００とホストＰＣ４００との間で行うデータ転送速度などの設定を制御する。通信モード制御部３２２は、データ転送を開始する前に、ホストＰＣ４００との間で通信プロトコル上のネゴシエーションを行ってデータ転送速度を設定する。
【００６８】
具体的には、データ転送速度は、接続された通信インターフェース同士が、データ転送を開始する前に、通信プロトコル上のネゴシエーションを行うことによって自動的に選択される。例えば、一方の通信インターフェースが第１高速モードをサポートしていても、他方が第１低速モードしかサポートしていない場合には、第１高速モードでデータ転送をすることはできない。そのため、各通信インターフェースは、ネゴシエーションによって互いの仕様を確認し、両者が第１高速モードをサポートしていれば第１高速モードを選択し、どちらかの通信インターフェースが第１高速モードをサポートしていなければ第１低速モードを選択するというように、互いの仕様に応じて転送速度を選択する。
【００６９】
なお、ネゴシエーションとは、例えば、コンピュータと周辺機器の通信など２台の機器間で通信を確立する際に、通信速度などの情報を相互に交換しながら通信設定を決定していくことである。例えば、コンピュータと周辺機器では、機器ごとにサポートする通信速度、エラー訂正機能、データ圧縮手順などが異なる可能性がある。そこで、通信モード制御部３２２は、通信を開始するのに先立って、通信相手の機器がどの規格のどのモードに対応しているかを特殊な信号のやり取りを通じて情報交換し、お互いにサポートする機能や性能を知り、最適な設定で通信を行うよう接続時に設定して接続を確立する。
【００７０】
また、通信モード制御部３２２は、検出部２０６が検知した信号に基づいて、電力供給元が補助電源４の場合には、データ転送速度を第１高速モードで行うことを禁止するように制御する。通信モード制御部３２２は、ホストＰＣ４００と転送速度のネゴシエーションをする場合、データの高速転送を禁止する制御がある場合には、データ転送速度を第１低速モードで行う転送しかできない旨をホストＰＣ４００に通知する。通信モード制御部３２２は、ホストＰＣ４００がデータの高速転送をサポートしている場合でも、画像形成装置１００が駆動電源として補助電源４を使用している場合には、ネゴシエーションにおいて第１高速モードを選択させず、第１低速モードを設定する制御を行う。
【００７１】
これにより、画像形成装置１００は、電力消費量の小さい第１低速モードでデータ通信を行うため補助電源４の電力の多くがデータ通信に消費されてしまうことを防止でき、補助電源４の持続時間を長持ちさせることができる。
【００７２】
次に、通信モード制御部３２２の制御動作例を説明する。図８は、本実施形態の通信モード制御部の制御動作の処理手順の一例を示すフローチャートである。
【００７３】
図８に示すように、通信モード制御部３２２は、画像形成装置１００に対してデータ転送の指令があるか否かを判定する（ステップＳ１０１）。通信モード制御部３２２は、データ転送の指令がない場合（ステップＳ１０１：ＮＯ）、データ転送の指令があるか否かの判定を繰り返す。通信モード制御部３２２は、データ転送の指令があった場合（ステップＳ１０１：ＹＥＳ）、画像形成装置１００の電力供給元が主電源３又は補助電源４の何れであるかを判定するために、検出部２０６が検知するＢＴＯＮ信号がＬｏｗレベルであるか否かを判定する（ステップＳ１０２）。
【００７４】
通信モード制御部３２２は、ＢＴＯＮ信号がＬｏｗレベルである場合（ステップＳ１０２：ＹＥＳ）、電力供給元は補助電源４であると判定し、データ転送速度を第１低速モードに設定する旨をホストＰＣ４００に通知する（ステップＳ１０３）。
【００７５】
次に、通信モード制御部３２２は、データ転送速度を第１低速モードに設定する（ステップＳ１０４）。次に、通信モード制御部３２２は、通信Ｉ／Ｆ３０３を介してホストＰＣ４００との間でデータ転送を開始する（ステップＳ１０５）。次に、通信モード制御部３２２は、ホストＰＣ４００との間のデータ転送が終了したか否かを判定する（ステップＳ１０６）。
【００７６】
通信モード制御部３２２は、データ転送が終了していない場合（ステップＳ１０６：ＮＯ）、データ転送が終了したか否かの判定を繰り返す。通信モード制御部３２２は、データ転送が終了した場合（ステップＳ１０６：ＹＥＳ）、処理を終了する。
【００７７】
ステップＳ１０２に戻り、通信モード制御部３２２は、ＢＴＯＮ信号がＬｏｗレベルでない場合（ステップＳ１０２：ＮＯ）、電力供給元は主電源３であると判定し、データ転送速度を第１高速モードに設定する旨をホストＰＣ４００に通知する（ステップＳ１０７）。次に、通信モード制御部３２２は、ホストＰＣ４００との間のネゴシエーションを行って、ホストＰＣ４００は第１高速モードに対応しているか否かを判定する（ステップＳ１０８）。
【００７８】
通信モード制御部３２２は、ホストＰＣ４００が第１高速モードに対応していない場合（ステップＳ１０８：ＮＯ）、ステップＳ１０４に移行して、データ転送速度を第１低速モードに設定して、ステップＳ１０５以降の処理を行う。通信モード制御部３２２は、ホストＰＣ４００が第１高速モードに対応している場合（ステップＳ１０８：ＹＥＳ）、データ転送速度を第１高速モードに設定する（ステップＳ１０９）。次に、通信モード制御部３２２は、ステップＳ１０５に移行して、通信Ｉ／Ｆ３０３を介してホストＰＣ４００との間でデータ転送を開始して、ステップＳ１０５以降の処理を行う。
【００７９】
以上の処理を画像形成装置１００に実行させることにより、通信モード制御部３２２は、補助電源４駆動時ではデータ転送速度を消費電力量の小さい第１低速モードに制御する通信モード制御を行うので消費電力量を低減することが可能となる。
【００８０】
このように、本実施形態の通信モード制御部３２２は、検出部２０６で検知された電力供給元が補助電源４である場合には、データ転送速度を消費電力量の小さい第１低速モードにする設定を自動的に行う。そのため、補助電源４駆動時の電力消費量を低減することができる。
【００８１】
次に、印刷モード制御部３２３について説明する。なお、以下の各実施形態では、画像形成装置１００の一例として、インクジェットプリンタを例に挙げて説明するが、これに限定されることはなく、印刷速度を切り替え可能な画像形成装置であればいずれにも適用することができる。
【００８２】
印刷モード制御部３２３は、画像形成装置１００の画像形成部３１０での印刷速度を制御する。具体的には、印刷モード制御部３２３は、検出部２０６が検知した信号に基づいて、電力供給元が補助電源４の場合には、画像形成部３１０での印刷速度を第２高速モードから電力消費量の少ない第２低速モードに設定する制御を行う。
【００８３】
インクジェットプリンタを一例とした場合、例えば、印刷モード制御部３２３は、用紙送り制御部とヘッド駆動制御部とを第２高速モードから第２低速モードに切り換える制御を行う。具体的には、印刷モード制御部３２３は、第２低速モードの場合には、例えば、往路走査で奇数ドットを印字し、復路走査で偶数ドットを印字する制御を行う。
【００８４】
また、印刷モード制御部３２３は、印刷速度が第２低速モードの場合には、上記の印字動作のために用紙搬送速度を第２高速モード時の半分となる第２低速モードに制御する。そのため、印刷速度が第２低速モードの時には、用紙搬送速度は電力消費量の小さい第２低速モードとなるように制御される。
【００８５】
また、電力供給元が主電源３の場合、印刷モード制御部３２３は、第２高速モードでは、例えば、片道走査で１ラインの印字を行う制御を行うため、用紙搬送速度は第２高速モードとなるように制御される。
【００８６】
このように、本実施形態では、印刷速度を第２低速モードに設定して画像形成の生産性を低減することで印刷に必要な電力消費量を削減することができるため、補助電源４の電力消費量を低減させることができる。
【００８７】
次に、印刷モード制御部３２３の制御動作例を説明する。図９は、本実施形態の印刷モード制御部の制御動作の処理手順の一例を示すフローチャートである。
【００８８】
図９に示すように、例えば、ユーザーが、ホストＰＣ４００にインストールされている各種アプリケーションソフト（例えば、文書作成ソフトなど）を用いて作成した文書について印刷メニュー押下（印刷開始）をホストＰＣ４００に指示する（ステップＳ２０１）。
【００８９】
印刷モード制御部３２３は、画像形成装置１００の電力供給元が主電源３又は補助電源４の何れであるかを判定するために、検出部２０６が検知するＢＴＯＮ信号がＬｏｗレベルであるか否かを判定する（ステップＳ２０２）。印刷モード制御部３２３は、ＢＴＯＮ信号がＬｏｗレベルである場合（ステップＳ２０２：ＹＥＳ）、電力供給元は補助電源４であると判定し、印刷速度を第２低速モードに設定する（ステップＳ２０３）。
【００９０】
次に、印刷モード制御部３２３は、ホストＰＣ４００のプリンタドライバに印刷速度が第２低速モードに設定された旨を通知し、ホストＰＣ４００の端末画面にプリンタドライバを表示（ステップＳ２０４）させる。
【００９１】
次に、ホストＰＣ４００の印刷制御プログラムなどのプリンタドライバは、アプリケーションから受け取った文書データ全体を印刷対象として画像形成装置１００が処理できる形式の印刷データに変換し、画像形成装置１００に印刷データを送出する。画像形成装置１００は、通信Ｉ／Ｆ３０３を介して受付部３２１で印刷データを受け付ける（ステップＳ２０５）。その後、印刷モード制御部３２３は処理を終了する。
【００９２】
ステップＳ２０２に戻り、印刷モード制御部３２３は、ＢＴＯＮ信号がＬｏｗレベルでない場合（ステップＳ２０２：ＮＯ）、電力供給元は主電源３であると判定し、印刷速度を第２高速モードに設定する（ステップＳ２０６）。次に、印刷モード制御部３２３は、ホストＰＣ４００のプリンタドライバに印刷速度が第２高速モードに設定された旨を通知し、ホストＰＣ４００の端末画面にプリンタドライバを表示（ステップＳ２０４）させ、それ以降の処理を行う。
【００９３】
以上の処理を画像形成装置１００に実行させることにより、印刷モード制御部３２３は、補助電源４駆動時では印刷速度を電力消費量の小さい第２低速モードに制御する印刷モード制御を行うので消費電力量を低減することが可能となる。
【００９４】
このように、本実施形態の印刷モード制御部３２３は、検出部２０６で検知された電力供給元が補助電源４である場合には、印刷速度を消費電力量の小さい第２低速モードにする設定を自動的に行う。そのため、補助電源４駆動時の電力消費量を低減することができる。
【００９５】
以上より、本実施形態によれば、補助電源４駆動時の電力消費量を低減することができる。また、補助電源４駆動時の電力消費量を低減することができるため、補助電源４の持続時間を長持ちさせることができる。
【００９６】
（第２の実施形態）
次に、第２の実施形態について説明する。図１０は、本実施形態に係る画像形成装置の全体構成例を説明するブロック図である。なお、上述した第１の実施形態の図４と重複する部分については同じ符号を付し、詳細な説明を適宜省略する。図１０に示すように、本実施形態では、制御部３０４Ｂは、第１の実施形態の制御部３０４Ａに画像形成装置１００の操作表示部６の動作を制御する表示制御部３２５をさらに備える。表示制御部３２５は、画像形成装置１００の操作表示部６の動作を制御する。
【００９７】
具体的には、表示制御部３２５は、検出部２０６により検知された電力供給元が補助電源４の場合には、操作表示部６のバックライトを消灯させる制御を行う。また、表示制御部３２５は、検出部２０６により検知された電力供給元が補助電源４の場合には、充放電コントローラ２０１で検出された補助電源４の電圧に応じて操作表示部６のバックライトの輝度を変更させる制御を行う。以下、具体的な内容について説明する。なお、上述した第１の実施形態と重複する部分については詳細な説明を適宜省略する。
【００９８】
次に、本実施形態の画像形成装置１００において実行される表示制御部３２５の制御動作例について説明する。図１１は、本実施形態の画像形成装置の表示制御部の制御動作の処理手順の一例を示すフローチャートである。具体的には、図１１は、表示制御部が電力供給元に応じて操作表示部のバックライトの動作を制御する場合の処理手順の一例を示すフローチャートである。
【００９９】
図１１に示すように、画像形成装置１００の電源が入れられた場合（ステップＳ３０１）、表示制御部３２５は、画像形成装置１００の電力供給元が主電源３又は補助電源４の何れであるのかを判定するために、検出部２０６が検知するＢＴＯＮ信号がＬｏｗレベルであるか否かを判定する（ステップＳ３０２）。
【０１００】
表示制御部３２５は、ＢＴＯＮ信号がＬｏｗレベルである場合（ステップＳ３０２：ＹＥＳ）、電力供給元が補助電源４であると判定して、操作表示部６のバックライトを消灯させる（ステップＳ３０３）制御を行う。
【０１０１】
次に、表示制御部３２５は、画像形成装置１００の電源がオンであるか否かを判定する（ステップＳ３０４）。表示制御部３２５は、電源がオンである場合（ステップＳ３０４：ＹＥＳ）、ステップＳ３０２に戻り、処理を繰り返す。表示制御部３２５は、電源がオンでない場合（ステップＳ３０４：ＮＯ）、処理を終了する。
【０１０２】
ステップＳ３０２に戻り、表示制御部３２５は、ＢＴＯＮ信号がＬｏｗレベルでない場合（ステップＳ３０２：ＮＯ）、電力供給元が主電源３であると判定して、操作表示部６のバックライトを点灯させる（ステップＳ３０５）制御を行う。
【０１０３】
次に、表示制御部３２５は、検出部２０６が検知するＢＴＯＮ信号がＬｏｗレベルであるか否かを判定する（ステップＳ３０６）。表示制御部３２５は、ＢＴＯＮ信号がＬｏｗレベルでない場合（ステップＳ３０６：ＮＯ）、ステップＳ３０４に移行して、処理を繰り返す。
【０１０４】
ステップＳ３０６で、表示制御部３２５は、ＢＴＯＮ信号がＬｏｗレベルである場合（ステップＳ３０６：ＹＥＳ）、電力供給元が補助電源４であると判定して、補助電源（バッテリー）４の電圧を充放電コントローラ２０１で検出する（ステップＳ３０７）。次に、表示制御部３２５は、充放電コントローラ２０１で検出したバッテリー４の電圧レベルに応じてバックライトの輝度を任意の輝度に設定する制御を行う（ステップＳ３０８）。次に、ステップＳ３０４に移行して、処理を繰り返す。
【０１０５】
次に、表示制御部３２５が、充放電コントローラ２０１で検出したバッテリー４の電圧レベルに応じてバックライトの輝度を任意の輝度に設定する一例について説明する。図１２は、本実施形態の画像形成装置において実行される表示制御部の制御動作例について説明する図である。具体的には、図１２は、表示制御部がバッテリーの電圧に応じてバックライトの輝度を制御する場合の一例を示す図である。
【０１０６】
図１２に示すように、表示制御部３２５は、充放電コントローラ２０１で検出したバッテリー４の電圧レベルに応じて、例えば、バッテリー４電圧が１５．５Ｖ以上であればバックライトの輝度を２０００［ｃｄ／ｍ２］に設定する制御を行う。表示制御部３２５は、バッテリー４電圧が１４．８Ｖ以上１５．５Ｖ未満であればバックライトの輝度を１８００［ｃｄ／ｍ２］に設定する制御を行う。表示制御部３２５は、バッテリー４電圧が１３．８Ｖ以上１４．８Ｖ未満であればバックライトの輝度を１６００［ｃｄ／ｍ２］に設定する制御を行う。表示制御部３２５は、バッテリー４電圧が１３．２Ｖ以上１３．８Ｖ未満であればバックライトの輝度を１４００［ｃｄ／ｍ２］に設定する制御を行う。表示制御部３２５は、バッテリー４電圧が１２．６Ｖ以上１３．２Ｖ未満であればバックライトの輝度を１２００［ｃｄ／ｍ２］に設定する制御を行う。表示制御部３２５は、バッテリー４電圧が１２．６Ｖ未満であればバックライトの輝度を１０００［ｃｄ／ｍ２］に設定する制御を行う。
【０１０７】
このように、表示制御部３２５は、バッテリー４電圧が低下すると共にバックライト輝度を低下させることで、電力消費量を低減させることができる。
【０１０８】
なお、図１２に示した、表示制御部３２５が設定するバッテリー４電圧とバックライト輝度との関係は一例であり、本実施形態はこれに限ることはなく、それぞれ任意に設定することができる。
【０１０９】
以上の処理を画像形成装置１００に実行させることにより、補助電源４駆動時の電力消費量を低減すると共に補助電源４の持続時間を長持ちさせることが可能となる。
【０１１０】
このように、本実施形態の表示制御部３２５は、電力供給元が補助電源４の場合には操作表示部６のバックライトを消灯させる制御を行う。これにより、表示制御部３２５は、補助電源４駆動時にはバックライトを点灯させないので、消費電力量を削減することができるため、補助電源４駆動時の電力消費量を低減することができる。
【０１１１】
また、表示制御部３２５は、電力供給元が補助電源４の場合には補助電源４の電圧の低下に応じて操作表示部６のバックライトの輝度を低下させるように変更させるので、補助電源４駆動時の電力消費量を低減することができる。
【０１１２】
以上より、本実施形態によれば、補助電源４駆動時の電力消費量を低減することができると共に、補助電源４の持続時間を長持ちさせることができる。
【０１１３】
（第２の実施形態の変形例）
次に、第２の実施形態の変形例について説明する。本変形例では、図１０に示す制御部３０４Ｂの表示制御部３２５は、画像形成装置１００の操作表示部６に対して情報の表示を制御する。
【０１１４】
具体的には、表示制御部３２５は、検出部２０６により検知される電力供給元が補助電源４の場合には操作表示部６に対して情報の表示を停止させる制御を行う。また、表示制御部３２５は、検出部２０６により検知される電力供給元が補助電源４の場合には充放電コントローラ２０１で検出された補助電源４の電圧に応じて操作表示部６に対して情報を表示させる制御を行う。また、表示制御部３２５は、検出部２０６により検知される電力供給元が補助電源４の場合には充放電コントローラ２０１で検出された補助電源４の電圧に応じて操作表示部６に対して情報を点滅表示させる制御を行う。以下、具体的な内容について説明する。なお、上述した第１、第２の実施形態と重複する部分については詳細な説明を適宜省略する。
【０１１５】
次に、本変形例の画像形成装置１００において実行される表示制御部３２５の制御動作例について説明する。図１３は、本変形例の画像形成装置の表示制御部の制御動作の処理手順の一例を示すフローチャートである。具体的には、図１３は、表示制御部が電力供給元に応じて操作表示部の表示動作を制御する場合の処理手順の一例を示すフローチャートである。
【０１１６】
図１３に示すように、画像形成装置１００の電源が入れられた場合（ステップＳ４０１）、表示制御部３２５は、画像形成装置１００の電力供給元が主電源３又は補助電源４の何れであるのかを判定するために、検出部２０６が検知するＢＴＯＮ信号がＬｏｗレベルであるか否かを判定する（ステップＳ４０２）。
【０１１７】
表示制御部３２５は、ＢＴＯＮ信号がＬｏｗレベルである場合（ステップＳ４０２：ＹＥＳ）、電力供給元が補助電源４であると判定して、操作表示部６の情報の表示を停止させる（ステップＳ４０３）制御を行う。
【０１１８】
次に、表示制御部３２５は、画像形成装置１００の電源がオンであるか否かを判定する（ステップＳ４０４）。表示制御部３２５は、電源がオンである場合（ステップＳ４０４：ＹＥＳ）、ステップＳ４０２に戻り、処理を繰り返す。表示制御部３２５は、電源がオンでない場合（ステップＳ４０４：ＮＯ）、処理を終了する。
【０１１９】
ステップＳ４０２に戻り、表示制御部３２５は、ＢＴＯＮ信号がＬｏｗレベルでない場合（ステップＳ４０２：ＮＯ）、電力供給元が主電源３であると判定して、操作表示部６に情報を表示させる（ステップＳ４０５）制御を行う。
【０１２０】
次に、表示制御部３２５は、検出部２０６が検知するＢＴＯＮ信号がＬｏｗレベルであるか否かを判定する（ステップＳ４０６）。表示制御部３２５は、ＢＴＯＮ信号がＬｏｗレベルでない場合（ステップＳ４０６：ＮＯ）、ステップＳ４０４に移行して、処理を繰り返す。
【０１２１】
ステップＳ４０６で、表示制御部３２５は、ＢＴＯＮ信号がＬｏｗレベルである場合（ステップＳ４０６：ＹＥＳ）、電力供給元が補助電源４であると判定して、補助電源（バッテリー）４の電圧を充放電コントローラ２０１で検出する（ステップＳ４０７）。
【０１２２】
次に、表示制御部３２５は、充放電コントローラ２０１で検出したバッテリー４の電圧レベルに応じて操作表示部６に情報を表示させる制御、又は操作表示部６の情報表示を任意の点滅周期で点滅表示させる制御を行う（ステップＳ４０８）。次に、ステップＳ４０４に移行して、処理を繰り返す。
【０１２３】
次に、表示制御部３２５が、充放電コントローラ２０１で検出したバッテリー４の電圧レベルに応じて操作表示部６に対して情報の表示を制御する一例について説明する。図１４は、本変形例の画像形成装置において実行される表示制御部の制御動作例について説明する図である。具体的には、図１４は、表示制御部がバッテリー４の電圧に応じて表示操作部に対して情報の表示を制御する場合の一例を示す図である。
【０１２４】
図１４に示すように、表示制御部３２５は、充放電コントローラ２０１で検出したバッテリー４の電圧レベルに応じて、例えば、バッテリー４電圧が１５．５Ｖ以上であれば操作表示部６に情報を表示させる制御を行う。表示制御部３２５は、バッテリー４電圧が１４．８Ｖ以上１５．５Ｖ未満であれば情報の点滅表示を１［Ｈｚ］に設定する制御を行う。表示制御部３２５は、バッテリー４電圧が１３．８Ｖ以上１４．８Ｖ未満であれば情報の点滅表示を０．５［Ｈｚ］に設定する制御を行う。表示制御部３２５は、バッテリー４電圧が１３．２Ｖ以上１３．８Ｖ未満であれば情報の点滅表示を０．３３［Ｈｚ］に設定する制御を行う。表示制御部３２５は、バッテリー４電圧が１２．６Ｖ以上１３．２Ｖ未満であれば情報の点滅表示を０．２５［Ｈｚ］に設定する制御を行う。表示制御部３２５は、バッテリー４電圧が１２．６Ｖ未満であれば情報の点滅表示を０．２［Ｈｚ］に設定する制御を行う。
【０１２５】
このように、表示制御部３２５は、バッテリー４電圧が低下すると共に操作表示部６に対して情報の点滅表示の点滅周期を短く変更させることで、電力消費量を低減させることができる。
【０１２６】
なお、図１４に示した、表示制御部３２５が設定するバッテリー４電圧と操作表示部６の情報の表示との関係は一例であり、本変形例はこれに限ることはなく、それぞれ任意に設定することができる。
【０１２７】
以上の処理を画像形成装置１００に実行させることにより、補助電源４駆動時の電力消費量を低減すると共に補助電源４の持続時間を長持ちさせることが可能となる。
【０１２８】
このように、本変形例の表示制御部３２５は、電力供給元が補助電源４の場合には操作表示部６に対して情報の表示を停止させる制御を行う。これにより、表示制御部３２５は、補助電源４駆動時には操作表示部６に対して情報の表示を停止させるので、消費電力量を削減することができるため、補助電源４駆動時の電力消費量を低減することができる。
【０１２９】
また、表示制御部３２５は、電力供給元が補助電源４の場合には補助電源４の電圧に応じて操作表示部６に対して情報を表示させる制御、又は操作表示部６に対して情報を点滅表示させる制御を行うので、補助電源４駆動時の電力消費量を低減することができる。
【０１３０】
以上より、本変形例によれば、補助電源４駆動時の電力消費量を低減することができると共に、補助電源４の持続時間を長持ちさせることができる。
【０１３１】
（第１及び第２の実施形態の変形例）
次に、第１及び第２の実施形態の変形例について説明する。本変形例では、上述した第１及び第２の実施形態の図４、図１０で示した制御部３０４Ａ、３０４Ｂの受付部３２１は、画像形成装置１００のデータ転送速度の設定、印刷速度の設定、バックライトの設定及び操作表示部６に対する情報表示の設定を受け付ける機能を有する。受付部３２１は、画像形成装置１００の各種動作状態の設定を受け付けて各種設定を制御部３０４Ａ、３０４Ｂに受け渡す。制御部３０４Ａ、３０４Ｂは、受け付けた各種設定に応じて通信モード制御部３２２、印刷モード制御部３２３、表示制御部３２５と各々協働して各種設定に応じた制御を行う。以下、具体的な内容について説明する。なお、上述した第１及び第２の実施形態と重複する部分については詳細な説明を適宜省略する。
【０１３２】
図１５−１〜１５−４は、本変形例の画像形成装置において実行される受付部の操作表示部に対する表示の一例である。具体的には、図１５−１〜１５−４は、ユーザーが画像形成装置の操作表示部の表示パネルや操作キーを操作して各種設定を変更するための受け付け画面の表示の一例を示す模式図である。これらの操作表示部６の受け付け画面は、ユーザーが操作表示部６の表示パネルや操作キーを操作して各種設定を選択することにより表示される。
【０１３３】
図１５−１に示すように、受付部３２１は、画像形成装置１００の操作表示部６に補助電源４駆動の場合、通信モード制御部３２２におけるデータ転送速度を第１低速モードに自動で設定するか否かをユーザーから受け付ける表示を行う。受付部３２１は、操作表示部６の表示パネルからオン（ＯＮ）が選択された場合、受け付けた設定を制御部３０４Ａの通信モード制御部３２２に受け渡す。制御部３０４Ａの制御の下、通信モード制御部３２２は、データ転送速度を第１低速モードに自動で設定する制御を行う。受付部３２１は、操作表示部６の表示パネルからオフ（ＯＦＦ）が選択された場合、受け付けた設定を制御部３０４Ａの通信モード制御部３２２に受け渡す。制御部３０４Ａの制御の下、通信モード制御部３２２は、データ転送速度を第１低速モードに自動で設定する制御を行わない。すなわち、データ転送速度を第１高速モードに設定する。なお、初期設定は、補助電源４駆動の場合、データ転送速度を第１低速モードに自動で設定である。
【０１３４】
図１５−２に示すように、受付部３２１は、画像形成装置１００の操作表示部６に補助電源４駆動の場合、印刷モード制御部３２３における印刷速度を第２低速モードに自動で設定するか否かをユーザーから受け付ける表示を行う。受付部３２１は、操作表示部６の表示パネルからオン（ＯＮ）が選択された場合、受け付けた設定を制御部３０４Ａの印刷モード制御部３２３に受け渡す。制御部３０４Ａの制御の下、印刷モード制御部３２３は、印刷速度を第２低速モードに自動で設定する制御を行う。受付部３２１は、操作表示部６の表示パネルからオフ（ＯＦＦ）が選択された場合、受け付けた設定を制御部３０４Ａの印刷モード制御部３２３に受け渡す。制御部３０４Ａの制御の下、印刷モード制御部３２３は、印刷速度を第２低速モードに自動で設定する制御を行わない。すなわち、印刷速度を第２高速モードに設定する。なお、初期設定は、補助電源４駆動の場合、印刷速度を第２低速モードに自動で設定である。
【０１３５】
図１５−３に示すように、受付部３２１は、画像形成装置１００の操作表示部６に補助電源４駆動の場合、操作表示部６のバックライトを消灯させるか否かをユーザーから受け付ける表示を行う。受付部３２１は、操作表示部６の表示パネルからオン（ＯＮ）が選択された場合、受け付けた設定を制御部３０４Ｂの表示制御部３２５に受け渡す。制御部３０４Ｂの制御の下、表示制御部３２５は、バックライトを自動で消灯させる制御を行う。受付部３２１は、操作表示部６の表示パネルからオフ（ＯＦＦ）が選択された場合、受け付けた設定を制御部３０４Ｂの表示制御部３２５に受け渡す。制御部３０４Ｂの制御の下、表示制御部３２５は、バックライトを消灯させない制御を行う。すなわち、バックライトを点灯する設定とする。なお、初期設定は、補助電源４駆動の場合、操作表示部６のバックライトを自動で消灯させる設定である。
【０１３６】
図１５−４に示すように、受付部３２１は、画像形成装置１００の操作表示部６に補助電源４駆動の場合、操作表示部６に対して情報を表示させるか否かをユーザーから受け付ける表示を行う。受付部３２１は、操作表示部６の表示パネルからオン（ＯＮ）が選択された場合、受け付けた設定を制御部３０４Ｂの表示制御部３２５に受け渡す。制御部３０４Ｂの制御の下、表示制御部３２５は、操作表示部６に対して自動で情報を表示させる制御を行う。受付部３２１は、操作表示部６の表示パネルからオフ（ＯＦＦ）が選択された場合、受け付けた設定を制御部３０４Ｂの表示制御部３２５に受け渡す。制御部３０４Ｂの制御の下、表示制御部３２５は、操作表示部６に対して情報を表示させない制御を行う。なお、初期設定は、補助電源４駆動の場合、操作表示部６に対して情報を表示させない設定である。
【０１３７】
このように、受付部３２１は、画像形成装置１００の各動作に対してユーザーから任意の設定を受け付けることができる。これにより、画像形成装置１００は、補助電源４駆動時に電力消費量を低減させることを優先させるだけでなく、ユーザーの多様な使い方に合わせることができる。
【０１３８】
なお、画像形成装置１００の各動作の設定は、上記のデータ転送速度、印刷速度、バックライト及び操作表示部６に対する情報の表示に限ることはなく、受付部３２１は、任意の動作に対して各種設定を受け付けることができる。また、受付部３２１の設定受け付け方法は、画像形成装置１００の操作表示部（表示パネル）６からの入力で受け付ける一例を示したが、これに限ることはなく、例えば、上述したホストＰＣ４００の端末画面に表示されるプリンタドライバから入力を受け付けるようにしてもよい。
【０１３９】
以上より、本変形例によれば、画像形成装置１００の各動作に対してユーザーから任意の設定を受け付けることができるため、ユーザーの使用環境に合った使い方をすることができる。
【０１４０】
以上に説明したように、本変形例によれば、通信モード制御部３２２は、補助電源４駆動時には、データ転送速度を消費電力量の小さい第１低速モードにする設定を自動的に行う。そのため、補助電源４駆動時の電力消費量を低減することができるため、補助電源４の持続時間を長持ちさせることができる。
【０１４１】
また、印刷モード制御部３２３は、補助電源４駆動時には、印刷速度を消費電力量の小さい第２低速モードにする設定を自動的に行う。そのため、補助電源４駆動時の電力消費量を低減することができる。
【０１４２】
以上、本発明の実施形態を説明したが、上述の各実施形態は、例として提示したものであり、発明の範囲を限定することは意図していない。本発明は、上述の各実施形態そのままに限定されるものではなく、実施段階ではその要旨を逸脱しない範囲で構成要素を変形して具体化できる。また、上述の各実施形態に開示されている複数の構成要素の適宜な組み合わせにより、種々の発明を形成できる。例えば、実施形態に示される全構成要素から幾つかの構成要素を削除してもよい。また、以上の各実施形態および変形例は任意に組み合わせることも可能である。
【０１４３】
なお、上述の各実施形態の通信モード制御部３２２及び印刷モード制御部３２３が実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１４４】
さらに、上述の各実施形態の通信モード制御部３２２及び印刷モード制御部３２３が実行される制御プログラムを、インターネット等のネットワークに接続されたコンピュータ上に格納し、ネットワーク経由でダウンロードさせることにより提供するように構成してもよい。また、上述の各実施形態の通信モード制御部３２２及び印刷モード制御部３２３が実行される制御プログラムをインターネット等のネットワーク経由で提供または配布するように構成してもよい。
【符号の説明】
【０１４５】
１  給紙トレイ（給紙カセット）
２  排紙トレイ
３  主電源
４  補助電源（バッテリー）
５  補助電源装填部
６  操作表示部
７  ガイドロッド
８  ガイドレール
９  キャリッジ
１０  主走査モータ
１１  タイミングベルト
１２Ａ  駆動プーリ
１２Ｂ  従動プーリ
１３、１３ｋ、１３ｃ、１３ｍ、１３ｙ  記録ヘッド
１４  サブタンク
１５  インク供給チューブ
１６  用紙積載部
１７  用紙
１８  給紙ローラ
１９  分離パッド
２０  ガイド
２１  搬送ベルト
２２  カウンタローラ
２３  搬送ガイド
２４  押さえ部材
２５  押さえコロ
２６  帯電ローラ
２７  搬送ローラ
２８  テンションローラ
２９  ガイド部材
３１  副走査モータ
３２  タイミングベルト
３３  タイミングローラ
３４  スリット円板
３５  センサ
３６  ロータリエンコーダ
５１  分離爪
５２  排紙ローラ
５３  排紙コロ
５４  両面給紙ユニット
５５  維持回復機構
５６  キャップ
５７  ワイパーブレード
５８  空吐出受け
１００  画像形成装置
２００  電源部
２０１  充放電コントローラ
２０２  電源制御部
２０３、２０４  ＤＣ／ＤＣコンバータ
２０５  プラグ
２０６  検出部
３００  メインコントローラ
３０１  タイマー
３０２  記憶部
３０３  通信Ｉ／Ｆ
３０４Ａ、３０４Ｂ  制御部
３１０  画像形成部
３２１  受付部
３２２  通信モード制御部
３２３  印刷モード制御部
３２４  エンジン制御部
３２５  表示制御部
４００  外部装置（ホストＰＣ）
４０１  通信Ｉ／Ｆ
【先行技術文献】
【特許文献】
【０１４６】
【特許文献１】特開２００４−１１８３４３号公報
【図１】
2014226884.tif 000003
【図２】
2014226884.tif 000004
【図３】
2014226884.tif 000005
【図４】
2014226884.tif 000006
【図５】
2014226884.tif 000007
【図６】
2014226884.tif 000008
【図７−１】
2014226884.tif 000009
【図７−２】
2014226884.tif 000010
【図７−３】
2014226884.tif 000011
【図７−４】
2014226884.tif 000012
【図８】
2014226884.tif 000013
【図９】
2014226884.tif 000014
【図１０】
2014226884.tif 000015
【図１１】
2014226884.tif 000016
【図１２】
2014226884.tif 000017
【図１３】
2014226884.tif 000018
【図１４】
2014226884.tif 000019
【図１５−１】
2014226884.tif 000020
【図１５−２】
2014226884.tif 000021
【図１５−３】
2014226884.tif 000022
【図１５−４】
2014226884.tif 000023